(57)【要約】【課題】  小規模店舗や一般家庭にも設置可能で、高い機密性を保持することができ、環境に優しくかつランニングコストも低い古紙処理装置を提供する。【解決手段】  什器サイズの装置ケース５内に、古紙ＵＰを離解し叩解して古紙パルプＵＰＰを製造するパルプ製造部２と、パルプ製造部２で製造された古紙パルプＵＰＰを抄紙して再生紙ＲＰを製造する抄紙部３と、パルプ製造部２および抄紙部３を連動して駆動制御する制御部４を備えてなり、古紙ＵＰが発生する室内に配置されて、古紙ＵＰをパルプ製造部２により離解処理することで、古紙ＵＰに記載された機密情報や個人情報の漏洩・流出を有効に防止し、さらに古紙パルプＵＰＰを抄紙部３により抄紙して再生紙ＲＰを製造する。【選択図】    図１
2007023450.tif 000002
【特許請求の範囲】
【請求項１】
古紙が発生する場所に配置されて、古紙を離解処理することにより、この古紙に記載された機密情報や個人情報の漏洩・流出を防止する古紙処理装置であって、
什器サイズの装置ケース内に、古紙を離解し叩解して古紙パルプを製造するパルプ製造部と、このパルプ製造部で製造された古紙パルプを抄紙して再生紙を製造する抄紙部と、これらパルプ製造部および抄紙部を連動して駆動制御する制御部を備えてなる
ことを特徴とする古紙処理装置。
【請求項２】
前記パルプ製造部で使用される水に、前記抄紙部で脱水回収される水が帰還利用される水循環方式とされている
ことを特徴とする請求項１に記載の古紙処理装置。
【請求項３】
前記パルプ製造部および抄紙部の駆動源が一般家庭用交流電源により駆動する電動駆動源である
ことを特徴とする請求項１に記載の古紙処理装置。
【請求項４】
前記装置ケースに移動手段が設けられて、設置床面上を移動可能な構成とされている
ことを特徴とする請求項１に記載の古紙処理装置。
【請求項５】
前記パルプ製造部は、古紙を攪拌する攪拌手段と、この攪拌手段に水を供給する給水手段を備えてなり、
前記装置ケースの投入開口から離解投入された古紙を水の中で攪拌して、離解・叩解する構成とされている
ことを特徴とする請求項１に記載の古紙処理装置。
【請求項６】
前記攪拌手段は、古紙の投入口を備え、前記給水手段から供給される水を貯水可能な攪拌タンクと、この攪拌タンク内に回転可能に設けられた攪拌羽根と、この攪拌羽根を回転駆動する駆動モータとを備える
ことを特徴とする請求項５に記載の古紙処理装置。
【請求項７】
前記攪拌タンクの投入口に、シュレッダ部が設けられて、前記投入口に投入された古紙が前記シュレッダ部で予備的に裁断された後、前記攪拌羽根により攪拌される構成とされている
ことを特徴とする請求項６に記載の古紙処理装置。
【請求項８】
前記給水手段は、前記抄紙部において濾過脱水される白水を回収する白水回収タンクと、この白水回収タンク内の水を前記パルプ製造部の攪拌手段に供給する給水ポンプとを備える
ことを特徴とする請求項５に記載の古紙処理装置。
【請求項９】
前記パルプ製造部は、前記攪拌タンクの下流側に配設されて、攪拌タンクで製造された前記古紙パルプの濃度を調整するパルプ濃度調整手段を備え、
このパルプ濃度調整手段は、前記攪拌タンクで製造された前記古紙パルプを貯留する濃度調整タンクと、この濃度調整タンクに水を供給する濃度調整用給水手段とを備えてなり、
前記濃度調整タンクにおいて、前記攪拌タンクで製造された前記古紙パルプが前記濃度調整用給水手段からの加水により濃度調整されて、所定濃度のパルプ懸濁液とされるように構成されている
ことを特徴とする請求項６に記載の古紙処理装置。
【請求項１０】
前記濃度調整タンクにおいて、前記攪拌タンク内で製造された前記古紙パルプの全量に対して、前記濃度調整用給水手段から水が加水されて、これら古紙パルプと水の合計体積が所定値になることにより、前記所定濃度のパルプ懸濁液となるように構成されている
ことを特徴とする請求項９に記載の古紙処理装置。
【請求項１１】
前記攪拌手段に水を供給する前記給水手段は、前記濃度調整用給水手段としての機能を兼備する
ことを特徴とする請求項９に記載の古紙処理装置。
【請求項１２】
前記抄紙部は、前記パルプ製造部から送られてくる水と古紙パルプが共存するスラリー状のパルプ懸濁液を抄いて湿紙とする抄紙ネットコンベア部と、この抄紙ネットコンベア部で抄紙形成された湿紙を乾燥させて再生紙とする乾燥ベルトコンベア部と、これら抄紙ネットコンベア部および乾燥ベルトコンベア部の連係部において前記湿紙を圧搾脱水する脱水ロール部とを備えてなり、
前記パルプ製造部から供給される前記パルプ懸濁液を抄紙するとともに、脱水・乾燥する構成とされている
ことを特徴とする請求項１に記載の古紙処理装置。
【請求項１３】
前記抄紙ネットコンベア部は、パルプ懸濁液を抄きながら搬送する所定幅を有する網状無端ベルトと、この網状無端ベルトを走行駆動する駆動モータと、前記網状無端ベルト上に前記パルプ製造部からの前記パルプ懸濁液を供給するパルプ供給部とを備えてなり、
このパルプ供給部により、前記パルプ懸濁液が前記網状無端ベルト上面に均一に広がり供給される構成とされている
ことを特徴とする請求項１２に記載の古紙処理装置。
【請求項１４】
前記パルプ供給部において、前記網状無端ベルトが走行方向へ向けて上向き傾斜状に配置され、
前記パルプ供給部は、前記網状無端ベルトの下面に摺接可能に配設された仕切り部材と、前記網状無端ベルトの上面に摺接可能に配設された型枠体とを備えてなり、
前記型枠体内に供給された前記パルプ懸濁液は、前記型枠体と仕切り部材との協働による滞留作用により、前記網状無端ベルト上面に均一に拡散されるとともに、前記網状無端ベルトの走行作用により、前記型枠体で規定された幅寸法を保持しつつ網状無端ベルトと共に搬送されながら、網状無端ベルトの網目による自重濾過作用を受けて脱水される構成とされている
ことを特徴とする請求項１３に記載の古紙処理装置。
【請求項１５】
前記仕切り部材は、前記網状無端ベルトの下面を摺接支持するスノコ構造とされるとともに、その基端側のパルプ懸濁液の流下供給部位が前記網状無端ベルトの網目を閉塞状態に支持する平板部材が設けられている
ことを特徴とする請求項１４に記載の古紙処理装置。
【請求項１６】
前記型枠体内にオーバフロー槽が設けられ、型枠体内に供給される前記パルプ懸濁液は、一旦このオーバフロー槽に貯留した後オーバフローして前記仕切り部材の平板部材上に流下する構成とされている
ことを特徴とする請求項１５に記載の古紙処理装置。
【請求項１７】
前記パルプ供給部の上流側に、前記パルプ製造部で製造された前記パルプ懸濁液を貯留するパルプ供給タンクが設けられ、このパルプ供給タンク内の前記パルプ懸濁液が懸濁液供給ポンプにより前記パルプ供給部の型枠体内に連続的に供給される構成とされている
ことを特徴とする請求項１３に記載の古紙処理装置。
【請求項１８】
前記乾燥ベルトコンベア部は、前記抄紙ネットコンベア部で抄紙形成された湿紙を受け取り搬送する所定幅を有する前記平滑面無端ベルトと、この平滑面無端ベルトを走行駆動する駆動モータと、前記平滑面無端ベルト上の湿紙を加熱乾燥する加熱乾燥部とを備えてなり、
前記脱水ロール部の下流側部位において、前記抄紙ネットコンベア部の圧搾脱水された湿紙が、前記平滑面無端ベルトの平滑面構造により、平滑面無端ベルト下面に転写密着されて搬送される構成とされている
ことを特徴とする請求項１２に記載の古紙処理装置。
【請求項１９】
前記加熱乾燥部は、前記平滑面無端ベルトにおける前記湿紙の保持面と反対側面に摺接するヒータプレートを備え、前記平滑面無端ベルト上の湿紙が前記ヒータプレートにより加熱された平滑面無端ベルトにより間接的に加熱乾燥される構成とされている
ことを特徴とする請求項１８に記載の古紙処理装置。
【請求項２０】
前記加熱乾燥部は、前記平滑面無端ベルト上の前記湿紙に転接する回転可能なヒータロールを備え、前記平滑面無端ベルト上の湿紙が前記ヒータロールにより直接的に加熱乾燥される構成とされている
ことを特徴とする請求項１８に記載の古紙処理装置。
【請求項２１】
前記加熱乾燥部は、前記平滑面無端ベルト上の前記湿紙に温風を吹き付ける温風ヒータを備え、前記平滑面無端ベルト上の湿紙が前記温風ヒータにより直接的に加熱乾燥される構成とされている
ことを特徴とする請求項１８に記載の古紙処理装置。
【請求項２２】
前記平滑面無端ベルトは、前記加熱乾燥部の加熱作用に耐え得る可撓性耐熱材料からなる
ことを特徴とする請求項１８に記載の古紙処理装置。
【請求項２３】
前記平滑面無端ベルトは、フッ素樹脂製ベルトであることを特徴とする請求項２２に記載の古紙処理装置。
【請求項２４】
前記平滑面無端ベルトは、鋼製ベルトであることを特徴とする請求項２２に記載の古紙処理装置。
【請求項２５】
前記脱水ロール部は、抄紙ネットコンベア部の網状無端ベルトおよび乾燥ベルトコンベア部の平滑面無端ベルトを上下両側から挟圧状に転動圧搾して、前記網状無端ベルト上の湿紙を圧搾脱水する
ことを特徴とする請求項１２に記載の古紙処理装置。
【請求項２６】
前記脱水ロール部は、前記網状無端ベルトに下側から転接する脱水ロールと、この脱水ロールに対して前記平滑面無端ベルトを上側から転動加圧するプレスロールと、これら両ロールを連動して回転駆動する駆動モータとを備えて、これら両ロールにより前記網状無端ベルトおよび平滑面無端ベルトが上下両側から挟圧状に転動圧搾されて、前記網状無端ベルト上の湿紙に含まれている水分が前記網状無端ベルトを介して前記脱水ロールに吸水される構成とされている
ことを特徴とする請求項２５に記載の古紙処理装置。
【請求項２７】
前記脱水ロールは、高剛性材料からなる円筒ロールの外周に、微細連続気孔の多孔質材料からなる脱水シートが巻装されてなる
ことを特徴とする請求項２６に記載の古紙処理装置。
【請求項２８】
前記プレスロールは、高剛性材料からなる円筒ロールの形態とされている
ことを特徴とする請求項２６に記載の古紙処理装置。
【請求項２９】
前記脱水ロール部の上流側において、前記網状無端ベルトに下側から転接する予備脱水ロールが配設されている
ことを特徴とする請求項１３に記載の古紙処理装置。
【請求項３０】
前記予備脱水ロールは、高剛性材料からなる円筒ロールの外周に、微細連続気孔の多孔質材料からなる脱水シートが巻装されてなる
ことを特徴とする請求項２９に記載の古紙処理装置。
【請求項３１】
前記脱水ロール部の上流側近傍位置に、前記平滑面無端ベルトを上側から転動加圧するスラリー化防止ロールが配設されている
ことを特徴とする請求項１８記載の古紙処理装置。
【請求項３２】
前記スラリー化防止ロールは、高剛性材料からなる円筒ロールの形態とされている
ことを特徴とする請求項３１に記載の古紙処理装置。
【請求項３３】
前記平滑面無端ベルトの走行途中に、前記平滑面無端ベルト上の前記湿紙を転動加圧する平滑面仕上げロールが配設されている
ことを特徴とする請求項１８に記載の古紙処理装置。
【請求項３４】
前記平滑面無端ベルトにおける前記加熱乾燥部の下流側に、平滑面無端ベルト上の乾燥処理された乾紙を剥離させる剥離部材が設けられている
ことを特徴とする請求項１８に記載の古紙処理装置。
【請求項３５】
前記剥離部材の下流側に、前記平滑面無端ベルトから剥離された再生紙を所定長さに切断する定寸カッタが設けられている
ことを特徴とする請求項３４に記載の古紙処理装置。
【請求項３６】
前記抄紙部において、下流側の前記乾燥ベルトコンベア部の平滑面無端ベルトと上流側の前記抄紙ネットコンベア部の網状無端ベルトとが上下に積層状に配設されるとともに、
これら平滑面無端ベルトと網状無端ベルトの上下隣接部分において、前記脱水ロール部が網状無端ベルトおよび平滑面無端ベルトを上下両側から挟圧状に転動圧搾する構造とされている
ことを特徴とする請求項１２に記載の古紙処理装置。
【請求項３７】
前記抄紙ネットコンベア部と前記乾燥ベルトコンベア部が共用の駆動源により駆動される構造とされている
ことを特徴とする請求項３６に記載の古紙処理装置。
【請求項３８】
什器サイズの装置ケース内に、古紙を離解し叩解して古紙パルプを製造するパルプ製造部と、このパルプ製造部で製造された古紙パルプを抄紙して再生紙を製造する抄紙部とを備えてなり、
古紙が発生する場所に配置されて、前記パルプ製造部により、発生した古紙が離解処理されて古紙パルプとされるとともに、前記抄紙部により、前記古紙パルプが抄紙されて再生紙とされ、これにより、前記古紙が、その発生場所内において再生紙として循環使用される構成とされている
ことを特徴とする古紙処理装置。
【請求項３９】
前記パルプ製造部は、古紙を攪拌する攪拌手段と、この攪拌手段に水を供給する給水手段を備えてなり、
前記装置ケースの投入開口から離解投入された古紙を水の中で攪拌して、離解・叩解する構成とされている
ことを特徴とする請求項３８に記載の古紙処理装置。
【請求項４０】
前記抄紙部は、前記パルプ製造部から送られてくる水と古紙パルプが共存するスラリー状のパルプ懸濁液を抄いて湿紙とする抄紙ネットコンベア部と、この抄紙ネットコンベア部で抄紙形成された湿紙を乾燥させて再生紙とする乾燥ベルトコンベア部と、これら抄紙ネットコンベア部および乾燥ベルトコンベア部の連係部において前記湿紙を圧搾脱水する脱水ロール部とを備えてなり、
前記パルプ製造部から供給される前記パルプ懸濁液を抄紙するとともに、脱水・乾燥する構成とされている
ことを特徴とする請求項３８に記載の古紙処理装置。
【請求項４１】
前記パルプ製造部で使用される水に、前記抄紙部で脱水回収される水が帰還利用される水循環方式とされている
ことを特徴とする請求項３８に記載の古紙処理装置。
【請求項４２】
前記パルプ製造部および抄紙部の駆動源が一般家庭用交流電源により駆動する電動駆動源である
ことを特徴とする請求項３８に記載の古紙処理装置。
【発明の詳細な説明】
【技術分野】
【０００１】
本発明は古紙処理装置に関し、さらに詳細には、官公庁・一般企業の機密文書や一般家庭の私的文書等で、使用済みや不要となった書類いわゆる古紙について、これら古紙に記載された機密情報や個人情報など各種情報の漏洩・流出を有効に防止すべく処理する古紙処理技術に関する。
【背景技術】
【０００２】
官公庁や一般企業の日常業務において、顧客情報、個人情報、事業計画情報等の各種社内情報や、企画図、装置設計図等の各種図など、多種多様な機密情報が書類化されて管理使用されており、また、一般家庭の日常生活においても、個人住所が記載された封書・葉書や、個人情報が記載された電気・ガスメータ等の検針書類などの私的書類が日々発生しており、これら書類は、使用済みとなったり不要になると、古紙として廃棄処分されることになる。
【０００３】
ところで、ＩＴ（Information Technology）の急速な発達により情報社会といわれる現代社会においては、これら古紙に記載された顧客情報、設計図面などの機密情報や、個人住所等の個人情報の漏洩・流出を防止することが必須であり、このための防止対策や技術の開発が積極的に行なわれている。
【０００４】
その中でも、シュレッダは、企業であると一般家庭であるとを問わず、重要な機密事項や個人情報の流出を防ぐために欠かせない装置として広く普及している。すなわち、シュレッダは、廃棄処分する古紙を小さな紙片に裁断する機構を備えており（例えば特許文献１参照）、これにより、古紙に記載された文字や線図を視認・解読不能な状態まで分断させて、これら文字や線図から構成される機密情報や個人情報の漏洩・流出を有効に防止している。
【０００５】
しかしながら、近時の飛躍的な技術進歩は、このように裁断された小さな紙片（裁断屑）から元の書類を復元させて、そこに記載されている機密情報を再現・収集することを可能にしている。これにより、機密情報や個人情報の漏洩・流出を確実に防止すると信じられてきたシュレッダの信頼性も完全でないことが判明している。
【０００６】
また、シュレッダは上記のごとく機密保護のみを目的とする装置であることから、その裁断された紙片は廃棄処分する必要があった。
【０００７】
また、従来のシュレッダのように単に古紙を細かく裁断するだけでなく、少量の水を加えながら古紙を少しずつ引きちぎり細かく裁断する方式の湿式シュレッダが開発されており（例えば特許文献２参照）、このシュレッダにより裁断処理された裁断屑は社外の古紙再生工場等へ送られて、再生紙の原料として再利用されている。
【０００８】
この湿式シュレッダによる裁断屑はパルプ化されて紙片の形態を留めていないので、従来のシュレッダによる裁断屑のように元の書類が復元されることもなく、より高い機密性を保持することができる。
【０００９】
しかしながら、この湿式シュレッダは、通常のシュレッダに比較してかなり大型の装置で、大きな設置スペースを必要とすることから、多量の古紙が発生する大きな事業所等においてのみ使用可能なものであり、大きな設置スペースがなく、発生する古紙も少量であるような小規模店舗や個人事務所、あるいは一般家庭には不向きないしは使用不可能であった。しかも、裁断処理された裁断屑は再生紙の原料として再利用されるといっても、古紙再生工場等の大規模工場でのみ処理可能なもので、紙再生のためのコストも高くつき、不経済であった。
【００１０】
【特許文献１】特開昭６２−４２７５２号公報
【特許文献２】特開平６−１３４３３１号公報
【発明の開示】
【発明が解決しようとする課題】
【００１１】
本発明はかかる従来の問題点に鑑みてなされたものであって、その目的とするところは、大きな事業所等だけでなく、小規模店舗や一般家庭などにも設置可能であるとともに、機密情報や個人情報など各種情報の漏洩・流出を確実に防止できて、高い機密性を保持することができ、しかも、環境に優しくかつランニングコストも低く抑えることができる古紙処理装置を提供することにある。
【課題を解決するための手段】
【００１２】
この目的を達成するため、本発明の第一の古紙処理装置は、古紙が発生する場所に配置されて、古紙を離解処理することにより、この古紙に記載された機密情報や個人情報の漏洩・流出を防止する装置であって、什器サイズの装置ケース内に、古紙を離解し叩解して古紙パルプを製造するパルプ製造部と、このパルプ製造部で製造された古紙パルプを抄紙して再生紙を製造する抄紙部と、これらパルプ製造部および抄紙部を連動して駆動制御する制御部を備えてなることを特徴とする。
【００１３】
好適な実施態様として、以下の構成が採用される。
（１）上記パルプ製造部で使用される水に、上記抄紙部で脱水回収される水が帰還利用される水循環方式とされる。
【００１４】
（２）上記パルプ製造部および抄紙部の駆動源が一般家庭用交流電源により駆動する電動駆動源である。
【００１５】
（３）上記装置ケースに移動手段が設けられて、設置床面上を移動可能な構成とされる。
【００１６】
（４）上記パルプ製造部は、古紙を攪拌する攪拌手段と、この攪拌手段に水を供給する給水手段を備えてなり、上記装置ケースの投入開口から離解投入された古紙を水の中で攪拌して、離解・叩解する構成とされる。
【００１７】
（５）上記（４）において、上記攪拌手段は、古紙の投入口を備え、上記給水手段から供給される水を貯水可能な攪拌タンクと、この攪拌タンク内に回転可能に設けられた攪拌羽根と、この攪拌羽根を回転駆動する駆動モータとを備える。
【００１８】
（６）上記（５）において、上記攪拌タンクの投入口に、シュレッダ部が設けられて、上記投入口に投入された古紙が上記シュレッダ部で予備的に裁断された後、上記攪拌羽根により攪拌される構成とされる。
【００１９】
（７）上記（４）において、上記給水手段は、上記抄紙部において濾過脱水される白水を回収する白水回収タンクと、この白水回収タンク内の水を上記パルプ製造部の攪拌手段に供給する給水ポンプとを備える。
【００２０】
（８）上記（５）において、上記パルプ製造部は、上記攪拌タンクの下流側に配設されて、攪拌タンクで製造された上記古紙パルプの濃度を調整するパルプ濃度調整手段を備え、このパルプ濃度調整手段は、上記攪拌タンクで製造された上記古紙パルプを貯留する濃度調整タンクと、この濃度調整タンクに水を供給する濃度調整用給水手段とを備えてなり、上記濃度調整タンクにおいて、上記攪拌タンクで製造された上記古紙パルプが上記濃度調整用給水手段からの加水により濃度調整されて、所定濃度のパルプ懸濁液とされるように構成される。
【００２１】
（９）上記（８）において、上記濃度調整タンクにおいて、上記攪拌タンク内で製造された上記古紙パルプの全量に対して、上記濃度調整用給水手段から水が加水されて、これら古紙パルプと水の合計体積が所定値になることにより、上記所定濃度のパルプ懸濁液となるように構成される。
【００２２】
（１０）上記（８）において、上記攪拌手段に水を供給する上記給水手段は、上記濃度調整用給水手段としての機能を兼備する。
【００２３】
（１１）上記抄紙部は、上記パルプ製造部から送られてくる水と古紙パルプが共存するスラリー状のパルプ懸濁液を抄いて湿紙とする抄紙ネットコンベア部と、この抄紙ネットコンベア部で抄紙形成された湿紙を乾燥させて再生紙とする乾燥ベルトコンベア部と、これら抄紙ネットコンベア部および乾燥ベルトコンベア部の連係部において上記湿紙を圧搾脱水する脱水ロール部とを備えてなり、上記パルプ製造部から供給される上記パルプ懸濁液を抄紙するとともに、脱水・乾燥する構成とされる。
【００２４】
（１２）上記（１１）において、上記抄紙ネットコンベア部は、パルプ懸濁液を抄きながら搬送する所定幅を有する網状無端ベルトと、この網状無端ベルトを走行駆動する駆動モータと、上記網状無端ベルト上に上記パルプ製造部からの上記パルプ懸濁液を供給するパルプ供給部とを備えてなり、このパルプ供給部により、上記パルプ懸濁液が上記網状無端ベルト上面に均一に広がり供給される構成とされる。
【００２５】
（１３）上記（１２）において、上記パルプ供給部において、上記網状無端ベルトが走行方向へ向けて上向き傾斜状に配置され、上記パルプ供給部は、上記網状無端ベルトの下面に摺接可能に配設された仕切り部材と、上記網状無端ベルトの上面に摺接可能に配設された型枠体とを備えてなり、上記型枠体内に供給された上記パルプ懸濁液は、上記型枠体と仕切り部材との協働による滞留作用により、上記網状無端ベルト上面に均一に拡散されるとともに、上記網状無端ベルトの走行作用により、上記型枠体で規定された幅寸法を保持しつつ網状無端ベルトと共に搬送されながら、網状無端ベルトの網目による自重濾過作用を受けて脱水される構成とされる。
【００２６】
（１４）上記（１３）において、上記仕切り部材は、上記網状無端ベルトの下面を摺接支持するスノコ構造とされるとともに、その基端側のパルプ懸濁液の流下供給部位が上記網状無端ベルトの網目を閉塞状態に支持する平板部材が設けられる。
【００２７】
（１５）上記（１４）において、上記型枠体内にオーバフロー槽が設けられ、型枠体内に供給される上記パルプ懸濁液は、一旦このオーバフロー槽に貯留した後オーバフローして上記仕切り部材の平板部材上に流下する構成とされる。
【００２８】
（１６）上記（１２）において、上記パルプ供給部の上流側に、上記パルプ製造部で製造された上記パルプ懸濁液を貯留するパルプ供給タンクが設けられ、このパルプ供給タンク内の上記パルプ懸濁液が懸濁液供給ポンプにより上記パルプ供給部の型枠体内に連続的に供給される構成とされる。
【００２９】
（１７）上記（１１）において、上記乾燥ベルトコンベア部は、上記抄紙ネットコンベア部で抄紙形成された湿紙を受け取り搬送する所定幅を有する上記平滑面無端ベルトと、この平滑面無端ベルトを走行駆動する駆動モータと、上記平滑面無端ベルト上の湿紙を加熱乾燥する加熱乾燥部とを備えてなり、上記脱水ロール部の下流側部位において、上記抄紙ネットコンベア部の圧搾脱水された湿紙が、上記平滑面無端ベルトの平滑面構造により、平滑面無端ベルト下面に転写密着されて搬送される構成とされる。
【００３０】
（１８）上記（１７）において、上記加熱乾燥部は、上記平滑面無端ベルトにおける上記湿紙の保持面と反対側面に摺接するヒータプレートを備え、上記平滑面無端ベルト上の湿紙が上記ヒータプレートにより加熱された平滑面無端ベルトにより間接的に加熱乾燥される構成とされる。
【００３１】
（１９）上記（１７）において、上記加熱乾燥部は、上記平滑面無端ベルト上の上記湿紙に転接する回転可能なヒータロールを備え、上記平滑面無端ベルト上の湿紙が上記ヒータロールにより直接的に加熱乾燥される構成とされる。
【００３２】
（２０）上記（１７）において、上記加熱乾燥部は、上記平滑面無端ベルト上の上記湿紙に温風を吹き付ける温風ヒータを備え、上記平滑面無端ベルト上の湿紙が上記温風ヒータにより直接的に加熱乾燥される構成とされる。
【００３３】
（２１）上記（１７）において、上記平滑面無端ベルトは、上記加熱乾燥部の加熱作用に耐え得る可撓性耐熱材料からなる。
【００３４】
（２２）上記（２１）において、上記平滑面無端ベルトは、フッ素樹脂製ベルトである。
【００３５】
（２３）上記（２１）において、上記平滑面無端ベルトは、鋼製ベルトである。
【００３６】
（２４）上記（１１）において、上記脱水ロール部は、抄紙ネットコンベア部の網状無端ベルトおよび乾燥ベルトコンベア部の平滑面無端ベルトを上下両側から挟圧状に転動圧搾して、上記網状無端ベルト上の湿紙を圧搾脱水する。
【００３７】
（２５）上記（２４）において、上記脱水ロール部は、上記網状無端ベルトに下側から転接する脱水ロールと、この脱水ロールに対して上記平滑面無端ベルトを上側から転動加圧するプレスロールと、これら両ロールを連動して回転駆動する駆動モータとを備えて、これら両ロールにより上記網状無端ベルトおよび平滑面無端ベルトが上下両側から挟圧状に転動圧搾されて、上記網状無端ベルト上の湿紙に含まれている水分が上記網状無端ベルトを介して上記脱水ロールに吸水される構成とされる。
【００３８】
（２６）上記（２５）において、上記脱水ロールは、高剛性材料からなる円筒ロールの外周に、微細連続気孔の多孔質材料からなる脱水シートが巻装されてなる。
【００３９】
（２７）上記（２５）において、上記プレスロールは、高剛性材料からなる円筒ロールの形態とされる。
【００４０】
（２８）上記（１２）において、上記脱水ロール部の上流側において、上記網状無端ベルトに下側から転接する予備脱水ロールが配設される。
【００４１】
（２９）上記（２８）において、上記予備脱水ロールは、高剛性材料からなる円筒ロールの外周に、微細連続気孔の多孔質材料からなる脱水シートが巻装されてなる。
【００４２】
（３０）上記（１７）において、上記脱水ロール部の上流側近傍位置に、上記平滑面無端ベルトを上側から転動加圧するスラリー化防止ロールが配設される。
【００４３】
（３１）上記（３０）において、上記スラリー化防止ロールは、高剛性材料からなる円筒ロールの形態とされる。
【００４４】
（３２）上記（１７）において、上記平滑面無端ベルトの走行途中に、上記平滑面無端ベルト上の上記湿紙を転動加圧する平滑面仕上げロールが配設される。
【００４５】
（３３）上記（１７）において、上記平滑面無端ベルトにおける上記加熱乾燥部の下流側に、平滑面無端ベルト上の乾燥処理された乾紙を剥離させる剥離部材が設けられる。
【００４６】
（３４）上記（３３）において、上記剥離部材の下流側に、上記平滑面無端ベルトから剥離された再生紙を所定長さに切断する定寸カッタが設けられる。
【００４７】
（３５）上記（１１）において、上記抄紙部において、下流側の上記乾燥ベルトコンベア部の平滑面無端ベルトと上流側の上記抄紙ネットコンベア部の網状無端ベルトとが上下に積層状に配設されるとともに、これら平滑面無端ベルトと網状無端ベルトの上下隣接部分において、上記脱水ロール部が網状無端ベルトおよび平滑面無端ベルトを上下両側から挟圧状に転動圧搾する構造とされる。
【００４８】
（３６）上記（３５）において、上記抄紙ネットコンベア部と上記乾燥ベルトコンベア部が共用の駆動源により駆動される構造とされる。
【００４９】
また、本発明の第二の古紙処理装置は、什器サイズの装置ケース内に、古紙を離解し叩解して古紙パルプを製造するパルプ製造部と、このパルプ製造部で製造された古紙パルプを抄紙して再生紙を製造する抄紙部とを備えてなり、古紙が発生する場所に配置されて、上記パルプ製造部により、発生した古紙が離解処理されて古紙パルプとされるとともに、上記抄紙部により、上記古紙パルプが抄紙されて再生紙とされ、これにより、上記古紙が、その発生場所内において再生紙として循環使用される構成とされていることを特徴とする。
【発明の効果】
【００５０】
本発明によれば、以下に列挙するような優れた特有の効果が得られ、大きな事業所等だけでなく、小規模店舗や一般家庭などにも設置可能であるとともに、機密情報や個人情報など各種情報の漏洩・流出を確実に防止できて、高い機密性を保持することができ、しかも、環境に優しくかつランニングコストも低く抑えることができる古紙処理装置を提供することにある。
【００５１】
（１）古紙が発生する場所に配置されて、古紙を離解し叩解して古紙パルプを製造するパルプ製造部を備えるから、古紙は繊維レベルまで分解されて（パルプ化）、そこに記載された文字や線図は完全に分解消滅してしまい、復元不可能である。これにより、これら文字や線図から構成される機密情報や個人情報の漏洩・流出を確実に防止することができ、高い機密性を保持することができる。
【００５２】
（２）さらに、上記パルプ製造部で製造された古紙パルプを抄紙して再生紙を製造する抄紙部を備えるから、古紙を廃棄処分することなく、古紙発生元において自前で再生利用することができ、古紙の廃棄を軽減して、ゴミ問題解決に役立つばかりか、限りある資源を有効利用することができる。
【００５３】
特に、この種の古紙は機密上の問題からリサイクル化が進んでおらず、上記のように古紙発生元において自前で再生利用することができることにより、資源有効利用の効果は顕著である。
【００５４】
（３）什器サイズの装置ケース内に、上記パルプ製造部、上記抄紙部およびこれらを連動して駆動制御する制御部を備えてなるから、装置構造がコンパクトで、大きな事業所等だけでなく、小規模店舗や一般家庭などにも設置可能であり、この観点からも、機密情報や個人情報など各種情報の漏洩・流出を確実に防止することができる。
【００５５】
また、古紙発生場所に、製紙工場や古紙再生工場の大規模な設備と同様な機能を有するコンパクトな古紙再生設備が設置されることになり、これにより、古紙の回収廃棄に要する輸送費や焼却費等の各種経費が不要となって、経済的である。
【００５６】
（４）上記パルプ製造部で使用される水に、上記抄紙部で脱水回収される水が帰還利用される水循環方式とされることにより、および／または、上記パルプ製造部および抄紙部の駆動源が一般家庭用交流電源により駆動する電動駆動源であることにより、環境に優しくかつランニングコストも低く抑えることができ、この点においても経済的である。
【００５７】
（５）古紙が発生する場所に配置されて、上記パルプ製造部により、発生した古紙が離解処理されて古紙パルプとされるとともに、上記抄紙部により、上記古紙パルプが抄紙されて再生紙とされ、これにより、上記古紙が、その発生場所内において再生紙として循環使用される構成とされていることにより、古紙に記載された文字や線図等の各種情報が古紙の発生場所外へ拡散することが全くなく、この点からも、機密情報や個人情報の漏洩・流出を確実に防止することができ、高い機密性を保持することができ、また資源の有効利用を図ることもできる。
【００５８】
すなわち、本発明の古紙処理装置を使用することにより、その使用に係る一定の系（例えば、学校、病院、市役所、特許事務所、一般家庭等）の外へ上記各種情報が拡散するおそれが全くなくなる。
【００５９】
換言すれば、例えば従来周知のシュレッダの場合、古紙が裁断されて小片となり、そこに記載された文字や線図が判読不能となったとしても、裁断された紙片は焼却場等で廃棄処分されることになるため、上記系外への拡散を完全に防止することはできない。この点に関して、上記系外への拡散を防止する目的で、系内の倉庫に保管するという方法も考えられるが、反面、そのような保管場所の確保が必要となり、対象となる紙も一回の使用のみでは、資源の有効利用という観点から効率が悪い。
【００６０】
これに対して、本発明の古紙処理装置によれば、古紙に記載される各種情報がその使用に係る系外へと拡散しまうことは全くなく、しかも、資源を有効に活用することができる。
【発明を実施するための最良の形態】
【００６１】
以下、本発明の実施形態を図面に基づいて詳細に説明する。なお、図面全体にわたって同一の符号は同一の構成部材または要素を示している。
【００６２】
実施形態１
本発明に係る古紙処理装置が図１〜図６に示されており、この古紙処理装置１は、具体的には古紙が発生する場所に配置されて、古紙ＵＰを離解処理することにより、この古紙ＵＰに記載された機密情報や個人情報の漏洩・流出を防止する装置であって、古紙ＵＰとしては、官公庁・一般企業の機密文書や一般家庭の私的文書等で、使用済みや不要となった書類が該当する。
【００６３】
古紙処理装置１は、図１に示すように、パルプ製造部２、抄紙部３および制御部４を主要部として構成され、これら装置構成部２〜４が装置ケース５内に装置収容されてなるコンパクト設計とされるとともに、上記パルプ製造部２および抄紙部３の駆動源は、一般家庭用交流電源により駆動する電動駆動源とされている。以下、各構成部について具体的に説明する。
【００６４】
I．装置ケース５：
この装置ケース５は、什器サイズ、つまり、事務所内に配置使用される書棚、ロッカー、事務机、複写機、パーソナルコンピュータなどの什器類と同等の形状寸法を備えるもので、具体的な形状寸法は目的や用途に応じて適宜設計される。図示の実施形態の装置ケース５は、複写機程度の形状寸法を有するほぼ直方体形状の箱体とされている。
【００６５】
II．パルプ製造部２：
パルプ製造部２は、古紙ＵＰを離解し叩解して古紙パルプを製造する工程部位で、古紙ＵＰを攪拌する攪拌装置（攪拌手段）６と、この攪拌装置６に水を供給する給水装置（給水手段）７とを備えてなる。
【００６６】
攪拌装置６は、攪拌タンク１０、攪拌羽根１１および駆動モータ１２を備えてなる。
【００６７】
攪拌タンク１０は、その天井壁に、装置ケース５の外部に対して開閉可能な構造を有する投入口１０ａが設けられるとともに、その内部（図示の場合は底部）に、上記攪拌羽根１１が回転可能に設けられている。
【００６８】
攪拌タンク１０の内容積は、一度に攪拌処理すべき古紙ＵＰの枚数に応じて設定される。図示の実施形態においては、約３リットルの水を加えて、Ａ４判のＰＰＣ(plain paper copier)古紙ＵＰを８枚程度（約３２ｇ）一度に攪拌処理（バッチ処理）できる容積を有する攪拌タンク１０とされている。
【００６９】
また、攪拌羽根１１は、駆動モータ１２の回転軸１２ａに水平状態で直接取り付け固定されたダイレクトモータ構造とされるとともに、この駆動モータ１２により正逆回転駆動されるように構成されている。駆動モータ１２は具体的には電動モータで、制御部４に電気的に接続されている。
【００７０】
攪拌羽根１１が正逆回転されるのは、古紙ＵＰをＡ４判の大きさのままで攪拌する場合、攪拌羽根１１に絡みつくのを防止するために、正回転後の逆回転による水の噴流の作用で分散させるためである。
【００７１】
これに関連して、攪拌羽根１１の羽根形状は、正回転と逆回転とにおいて、その攪拌力（拡散効果）が異なるように設計されており、これにより、古紙ＵＰ、ＵＰ、…の均一な離解・叩解が実現する。
【００７２】
なお、攪拌羽根１１の正回転と逆回転の切り替えタイミング、および攪拌時間などの運転条件は、予め行なった実験データに基づいて、所望の古紙ＵＰ、ＵＰ、…の離解・叩解効果が得られるように設定される。
【００７３】
給水装置７は、白水回収タンク１５および給水ポンプ１６を備えてなる。白水回収タンク１５は、後述するように、抄紙部３において濾過脱水される白水Ｗ（抄紙する際に抄き網により濾過された極低濃度のパルプ水）を回収するもので、この白水回収タンク１５に回収された白水Ｗが、給水ポンプ１６により、上記攪拌装置６の攪拌タンク１０に攪拌用の水として供給される。
【００７４】
また、この給水装置７は、後述するように、パルプ濃度調整部８の濃度調整用給水装置（濃度調整用給水手段）としての機能も兼備し、この目的のため、白水回収タンク１５内の白水Ｗを濃度調整タンク２５に濃度調整用の水として供給する濃度調整用給水ポンプ１７を備えている。１８および１９は、白水回収タンク１５内に設けられた下限水位用フロートスイッチと上限水位用フロートスイッチをそれぞれ示している。
【００７５】
しかして、攪拌装置６において、装置ケース５の投入開口つまり投入口１０ａから攪拌タンク１０内に投入された古紙ＵＰ、ＵＰ、…は、駆動モータ１２による攪拌羽根１１の正転・逆転動作により、給水装置７から供給された水Ｗの中で所定時間（図示の場合は３分〜５分間）だけ攪拌され、これにより、離解・叩解されて、古紙パルプＵＰＰとなる。
【００７６】
パルプ濃度調整部８は、攪拌タンク１０の下流側に設けられて、攪拌タンク１０で製造された古紙パルプＵＰＰの濃度を後続の抄紙に適した適正濃度に調整するものである。このパルプ濃度調整部８は、攪拌タンク１０で製造された古紙パルプＵＰＰを貯留する濃度調整タンク２５と、この濃度調整タンク２５に水を供給する濃度調整用給水装置（濃度調整用給水手段）とを備えてなり、この濃度調整用給水装置としては、前述したごとく、給水装置７が兼用されている。
【００７７】
濃度調整タンク２５の内容積は、攪拌装置６によりバッチ処理される古紙ＵＰの枚数（量）に応じて設定される。図示の実施形態においては、前述したように、８枚程度（約３２ｇ）のＡ４判の古紙ＵＰがバッチ処理されるので、これに対応した量の古紙パルプＵＰＰの濃度を調整できる容積を有する濃度調整タンク２５とされている。
【００７８】
これに関連して、上記攪拌装置６の攪拌タンク１０の底部には、排水口１０ｂが設けられており、この排水口１０ｂは図示しない排水弁により開閉動作される構成とされている。この排水弁は具体的には電磁開閉弁からなり、上記制御部４に電気的に接続されている。
【００７９】
パルプ濃度調整部８の具体的な濃度調整方法は、上記濃度調整タンク２５において、攪拌タンク１０内でバッチ処理にて製造された古紙パルプＵＰＰの全量に対して、上記濃度調整用給水装置７から水Ｗが加水されて、これら古紙パルプＵＰＰと水Ｗの合計体積が所定値になることにより、所定濃度のパルプ懸濁液ＰＳとなるように構成されている。なお、調整されるべきパルプ懸濁液ＰＳの目標濃度は、予め行なった実験データに基づいて、後述する抄紙部３における抄紙能力を考慮して設定され、図示の場合は約０．１％濃度に設定されている。２６は、濃度調整タンク２５内に設けられたフロートスイッチで、濃度調整タンク２５内のパルプ懸濁液ＰＳの量（古紙パルプＵＰＰと水Ｗの合計体積）が上記所定値になったときの水位を検知する。
【００８０】
しかして、上記濃度調整タンク２５において、上記攪拌タンク１０で製造された古紙パルプＵＰＰの全量が、攪拌タンク１０の排水口１０ｂから自重で濃度調整タンク２５内へ落下供給されるとともに、この古紙パルプＵＰＰに対して、濃度調整用給水装置７から白水Ｗが上記所定値になるまで加水されて（フロートスイッチ２６により検知）、これにより古紙パルプＵＰＰの濃度が調整されて、所定濃度のパルプ懸濁液ＰＳとされる。図示の実施形態においては、上記古紙パルプＵＰＰの全量（約３２ｇの古紙ＵＰ＋３リットルの水Ｗ）に対して、上記濃度調整用給水装置７から希釈用の水Ｗが加水されて、古紙パルプＵＰＰと水Ｗの合計体積（全量）が３０リットルになるように制御され、これにより、約０．１％濃度（目標濃度）のパルプ懸濁液ＰＳが調製される。この濃度調整されたパルプ懸濁液ＰＳは、第一懸濁液供給ポンプ２７により、次工程の抄紙部３へ送られる。
【００８１】
なお、上記攪拌タンク１０の排水口１０ｂから古紙パルプＵＰＰが濃度調整タンク２５内へ落下供給される間、攪拌タンク１０内においては、給水装置７から給水ポンプ１６により水Ｗが供給されるとともに、駆動モータ１２により攪拌羽根１１が回転して、攪拌タンク１０内の洗浄が行われる。
【００８２】
以上のように、給水装置７の給水源は、白水回収タンク１５に回収される抄紙部３で脱水された白水Ｗであり、換言すれば、抄紙部３で脱水回収される白水Ｗは、すべて上記パルプ製造部２の攪拌装置６およびパルプ濃度調整部８で帰還利用される水循環方式とされている。
【００８３】
III．抄紙部３：
抄紙部３は、このパルプ製造部２で製造された古紙パルプを抄紙して再生紙を製造する工程部位で、抄紙ネットコンベア部３０、脱水ロール部３１および乾燥ベルトコンベア部３２を備えてなる。
【００８４】
抄紙ネットコンベア部３０は、上記パルプ製造部２から送られてくる水Ｗと古紙パルプＵＰが共存するスラリー状のパルプ懸濁液ＰＳを抄いて湿紙とする部位で、網状無端ベルト３５、駆動モータ３６およびパルプ供給部３７を備えてなる。
【００８５】
網状無端ベルト３５は、パルプ懸濁液ＰＳを抄きながら搬送するもので、具体的には、所定幅を有する抄き網構造の板材が所定長さの環状に接続形成されてなる無端ベルトである。上記所定幅は、パルプ懸濁液ＰＳを抄いて製造すべき再生紙ＲＰの幅寸法よりも若干大きな寸法に設定される。また、抄き網構造の板材は、パルプ懸濁液ＰＳが上記抄き網構造の無数の網目により適正に濾過脱水できる材質とされ、好適には、ポリプロピレン（ＰＰ）、ポリエチレンテレフタレート（ＰＥＴ）、ポリアミド（ＰＡ）（一般に「ナイロン」と呼ばれる）あるいはステンレス鋼（ＳＵＳ）などの耐腐食性に優れる材料で形成されており、図示の実施形態においては、ＰＥＴ製網状無端ベルト３５とされている。さらに、上記所定長さは、網状無端ベルト３５の走行速度との関係で、パルプ懸濁液ＰＳが適正な坪量に抄かれるのに十分な長さとされるとともに、装置ケース５における抄紙ネットコンベア部３０の収容空間に収容し得る大きさに設定される。
【００８６】
この網状無端ベルト３５は、図１および図２に示すように、駆動ローラ６５、従動ローラ６６、支持ローラ６７、脱水ロール５０および予備脱水ロール５３を介して、回転走行可能に懸架支持されるとともに、上記駆動ローラ６５を介して、上記駆動モータ３６に駆動連結されている。
【００８７】
網状無端ベルト３５を走行駆動する駆動モータ３６は、具体的には電動モータで、制御部４に電気的に接続されている。また、この駆動モータ３６は、後述する脱水ロール部３１および乾燥ベルトコンベア部３２の走行駆動源としても共用され、この共用のための構造つまり駆動連結機構については後述する。
【００８８】
パルプ供給部３７は、上記網状無端ベルト３５上にパルプ製造部２からのパルプ懸濁液ＰＳを供給する部位で、具体的には、このパルプ供給部３７により、パルプ懸濁液ＰＳが上記網状無端ベルト３５上面に均一に広がり供給される構成とされている。
【００８９】
図示のパルプ供給部３７の具体的構造が図４および図５に示されている。すなわち、このパルプ供給部３７において、上記網状無端ベルト３５が走行方向へ向けて上向き傾斜状に配置されるとともに、この網状無端ベルト３５の上下両側位置に、型枠体３８および仕切り部材３９がそれぞれ配置されてなる。
【００９０】
型枠体３８は、網状無端ベルト３５の上面に摺接可能に配設されるもので、図４および図５に示すように、先端部つまり網状無端ベルト３５の走行方向側端部が開放された平面コ字形状の本体枠４０と、この本体枠４０の後端部に設けられたオーバフロー槽４１とを備える。
【００９１】
上記本体枠４０は、その下端面４０ａが傾斜走行する上記網状無端ベルト３５の上面に摺接するように配されるとともに、本体枠４０の枠内幅寸法Ｌ（図４参照）が製造すべき再生紙ＲＰの幅寸法に設定されている。
【００９２】
上記オーバフロー槽４１は、上記本体枠４０の後端部に一体的に固設されており、その前壁上端縁４１ａが水平直線状に形成されるとともに、このオーバフロー槽４１内に、後述するパルプ供給タンク４５のパルプ懸濁液ＰＳを供給する懸濁液供給配管４９の供給開口４９ａが臨んで設けられている。
【００９３】
そして、パルプ懸濁液ＰＳが上記懸濁液供給配管４９からオーバフロー槽４１内に供給され貯留されて、オーバフロー槽４１がパルプ懸濁液ＰＳで満杯になると、さらなるパルプ懸濁液ＰＳの供給により、パルプ懸濁液ＰＳは、オーバフロー槽４１の前壁上端縁４１ａから図５に矢符にて示されるようにオーバフローして、後述する仕切り部材３９の平板部材４２上に流下することとなる。
【００９４】
仕切り部材３９は、網状無端ベルト３５の下面に摺接可能に配設されるもので、図４および図５に示すように、複数本の骨組み部材３９ａ、３９ａ、…からなる水切り可能なスノコ構造を備え、上記網状無端ベルト３５の下面全幅を摺接支持する形状寸法を有するとともに、上記スノコ構造の基端側部位が平板部材４２により閉塞されている。
【００９５】
平板部材４２は、上記型枠体３８のオーバフロー槽４１に対応した位置に設けられ、具体的には、図５に示すように、オーバフロー槽４１からオーバフローするパルプ懸濁液ＰＳの流下位置に対応して配置され、これにより、網状無端ベルト３５におけるパルプ懸濁液ＰＳの流下供給部位の網目が平板部材４２により閉塞状態に支持されている。
【００９６】
また、上記パルプ供給部３７の上流側には、このパルプ供給部３７にパルプ懸濁液ＰＳを供給されるパルプ供給タンク４５が設けられている。
【００９７】
このパルプ供給タンク４５には、パルプ製造部２で製造されたパルプ懸濁液ＰＳが第一懸濁液供給ポンプ２７により供給されて貯留される。このパルプ供給タンク４５に貯留されるパルプ懸濁液ＰＳは、下限水位用フロートスイッチ４６および上限水位用フロートスイッチ４７により検知されて、第二懸濁液供給ポンプ（懸濁液供給ポンプ）４８により、上記パルプ供給部３７のオーバフロー槽４１内へ連続的に供給される構成とされている。
【００９８】
しかして、上記パルプ供給タンク４５に貯留されるパルプ懸濁液ＰＳが、第二懸濁液供給ポンプ４７により、上記パルプ供給部３７のオーバフロー槽４１内へ供給され、このオーバフロー槽４１に供給されたパルプ懸濁液ＰＳは、図４および図５に示すように、オーバフロー槽４１からオーバフローした後、平板部材４２上に流下する。そして、パルプ懸濁液ＰＳは、型枠体３８の本体枠４０と仕切り部材３９との協働による滞留作用により、網状無端ベルト３５上面に均一に拡散されるとともに、網状無端ベルト３５の矢符方向への走行作用により、上記本体枠４０により規定された幅寸法を保持しつつ網状無端ベルト３５と共に搬送されながら、網状無端ベルト３５の網目による自重濾過作用を受けて脱水されて、湿紙ＲＰ0となる。この濾過脱水された白水Ｗ（抄紙する際に抄き網により濾過された極低濃度のパルプ水）は、前述したように、上記給水装置７の白水回収タンク１５に回収される。
【００９９】
なお、上記パルプ供給部３７において、網状無端ベルト３５の走行姿勢は左右水平になるように、つまり網状無端ベルト３５の走行方向に対して垂直な断面における上面輪郭線が水平状態となるように走行支持されている。このように構成することにより、上記本体枠４０と仕切り部材３９の協働によるパルプ懸濁液ＰＳの滞留状態に左右幅方向の偏りを生じるのが有効に防止されて、調整される湿紙ＲＰ0の厚みが左右幅方向に均一となり、結果として紙面全体の厚みが均一となる。
【０１００】
脱水ロール部３１は、上述の抄紙ネットコンベア部３０と後述の乾燥ベルトコンベア部３２の連係部において、上記網状無端ベルト３５上の湿紙ＲＰ0を圧搾脱水する部位である。
【０１０１】
具体的には、下流側の上記乾燥ベルトコンベア部３２の平滑面無端ベルト６０と上流側の上記抄紙ネットコンベア部３０の網状無端ベルト３５とが図１および図２に示すように、上下に積層状に配設されるとともに、これら平滑面無端ベルト６０と網状無端ベルト３５の上下隣接部分が上記連係部とされて、上記脱水ロール部３１が、これら網状無端ベルト３５および平滑面無端ベルト６０を上下両側から挟圧状に転動圧搾する構造とされている。
【０１０２】
上記脱水ロール部３１は、脱水ロール５０、プレスロール５１および駆動モータ５２を主要部として備えるととともに、その補助部として、予備脱水ロール５３およびスラリー化防止ロール５４が設けられている。
【０１０３】
脱水ロール５０は、網状無端ベルト３５に下側から転接するもので、具体的には、高剛性材料からなる円筒ロール５０ａの外周に、微細連続気孔の多孔質材料からなる脱水シート５０ｂが巻装されてなる。脱水シート５０ｂは、親水性、吸水性および保水性に優れる材料からなり、好適には柔軟性に優れる微細連続気孔の多孔質材料からなる。また、脱水シート５０ｂの円筒ロール５０ａに対する巻装構造としては、ある程度厚みのある脱水シート５０ｂを円筒ロール５０ａの外周に一回巻きする単層構造と、薄い脱水シート５０ｂを円筒ロール５０ａの外周に複数回巻きする多層構造とがある。
【０１０４】
図示の実施形態の脱水ロール５０は、ステンレス鋼製円筒ロール５０ａの円筒外周面に、ミクロンサイズの超微細な連続気孔を有する超微細連続発泡材料からなる所定厚み寸法の脱水シート５０ｂが一回巻きされてなる単層構造とされ、より具体的には、上記脱水シート５０ｂが予め円筒体形状に成形され、この円筒体５０ｂが上記円筒ロール５０ａの外周に嵌合一体化されてなる。
【０１０５】
プレスロール５１は、後述する乾燥ベルトコンベア部３２の平滑面無端ベルト６０を上側から転動加圧するもので、具体的には、高剛性材料からなる円筒ロールの形態とされている。図示の実施形態のプレスロール５１は、ステンレス鋼製円筒ロールからなる。
【０１０６】
これら脱水ロール５０とプレスロール５１は、具体的には単一の駆動モータ５２に駆動連結されて、両ロール５０、５１が連動して回転駆動される。この場合、これら両ロール５０、５１は、その外周面間において挟圧状に転動圧搾される網状無端ベルト３５、平滑面無端ベルト６０の接触面（網状無端ベルト３５の下面および平滑面無端ベルト６０の上面）に対して、両ロール５０、５１の外周面が、互いに実質的に同一の回転速度をもってそれぞれ転動接触するように回転制御される。
【０１０７】
また、上記駆動モータ５２は、図示の実施形態においては、後述するように、抄紙ネットコンベア部３０の駆動モータ３６が共用とされている。
【０１０８】
そして、この駆動モータ５２（３６）の駆動により、上記両ロール５０、５１が、上記両ベルト３５、６０を上下両側から挟圧状に転動圧搾して、網状無端ベルト３５上の湿紙ＲＰ0に含まれている水分Ｍが上記網状無端ベルト３５を介して上記脱水ロール５０に吸水されて脱水される。この圧搾脱水された白水Ｗは、給水装置７の白水回収タンク１５に回収される。
【０１０９】
この圧搾脱水の具体的メカニズムを図６（ａ）により説明すると、上記両ロール５０、５１の回転により、上面に湿紙ＲＰ0を載置した網状無端ベルト３５と平滑面無端ベルト６０が、その間に上記湿紙ＲＰ0を介在させた状態で、上記両ロール５０、５１間へ案内されて、上下両側から挟圧状に転動圧搾される。すると、湿紙ＲＰ0に含まれている水分Ｍは、上記両ロール５０、５１の上流側（図面において右側）へ搾り出されるが、上側の平滑面無端ベルト６０が後述するように平滑面を有する孔のない構造であることから、この搾り出された水分Ｍはすべて下側の網状無端ベルト３５の微細な連続気孔を通過して上記脱水ロール５０の脱水シート５０ｂに吸水される。
【０１１０】
予備脱水ロール５３およびスラリー化防止ロール５４は、これら脱水ロール部３１におけるプレスロール５１と脱水ロール５０による圧搾脱水作用を補助するために設けられている。
【０１１１】
予備脱水ロール５３は、図１に示すように、脱水ロール部３１の上流側において、上記網状無端ベルト３５に下側から網状無端ベルト３５に転接してテンションを与えるように配設されている。
【０１１２】
この予備脱水ロール５３の具体的構造は、上記脱水ロール５０と同様であり、高剛性材料からなる円筒ロール５３ａの外周に、微細連続気孔の多孔質材料からなる脱水シート５３ｂが巻装されてなる。図示の実施形態の予備脱水ロール５３は、ステンレス鋼製円筒ロール５３ａの円筒外周に、ミクロンサイズの超微細な連続気孔を有する超微細連続発泡材料からなる円筒体５３ｂが嵌合一体化されてなる（脱水シート５３ｂが単層構造）。
【０１１３】
そして、網状無端ベルト３５上面に均一に拡散されて、この網状無端ベルト３５と共に搬送される湿紙ＲＰ0は、網状無端ベルト３５により濾過脱水されながら、上記予備脱水ロール５３によっても複合的に吸水脱水されて、プレスロール５１と脱水ロール５０による圧搾脱水作用を予備的に補助する。
【０１１４】
スラリー化防止ロール５４は、図１および図６（ｂ）に示すように、脱水ロール部３１の上流側近傍位置において、上記平滑面無端ベルト６０を上側から転動加圧して、平滑面無端ベルト６０を下側の網状無端ベルト３５上の湿紙ＲＰ0に押さえ付けるように配設されている。
【０１１５】
このスラリー化防止ロール５４の具体的構造は、上記プレスロール５１と同様であり、具体的には、高剛性材料からなる円筒ロールの形態とされ、図示の実施形態のスラリー化防止ロール５４は、ステンレス鋼製円筒ロールからなる。
【０１１６】
そして、図６（ｂ）を参照して、脱水ロール５０とプレスロール５１により、上面に湿紙ＲＰ0を載置した網状無端ベルト３５と平滑面無端ベルト６０が上下両側から挟圧状に転動圧搾されると、湿紙ＲＰ0に含まれている水分Ｍは、両ロール５０、５１の上流側（図面において右側）へ搾り出されるが、同時に、脱水ロール５０自身が先の圧搾脱水の結果保水している水分Ｍもまた搾り出される。
【０１１７】
この場合、スラリー化防止ロール５４が設けられていないとすると、図６（ａ）に示すように、両ロール５０、５１の上流側近傍位置においては、上側の平滑面無端ベルト６０が下側の網状無端ベルト３５上の湿紙ＲＰ0に対して離隔した状態にあり、このため、搾り出された上記湿紙ＲＰ0に含まれている水分と脱水ロール５０自身が保水していた水分の複合された水分Ｍの一部Ｍ´が、上記網状無端ベルト３５を介して上記脱水ロール５０に吸水されずに、湿紙ＲＰ0に吸収されて、湿紙ＲＰ0が再びスラリー化してしまうおそれがある。
【０１１８】
これに対して、スラリー化防止ロール５４が設けられていると、図６（ｂ）に示すように、両ロール５０、５１の上流側近傍位置において、上側の平滑面無端ベルト６０が下側の網状無端ベルト３５上の湿紙ＲＰ0に押さえ付けられた状態にあり、このため、搾り出された上記湿紙ＲＰ0に含まれている水分と脱水ロール５０自身が保水していた水分の複合された水分Ｍのすべてが、上記網状無端ベルト３５を介して下側へ落下して、湿紙ＲＰ0に再吸収されることがなく、湿紙ＲＰ0の再スラリー化を確実に防止することができ、プレスロール５１と脱水ロール５０による圧搾脱水作用を予備的に補助する。
【０１１９】
なお、両ロール５０、５１の圧搾により、その上流側へ搾り出された湿紙ＲＰ0の水分Ｍの一部は、脱水ロール５０の脱水シート５０ｂと湿紙ＲＰ0と一体となって両ロール５０、５１間を通過することになるが、両ロール５０、５１間を通過した瞬間に、脱水ロール５０の脱水シート５０ｂが原形に弾性復帰するため、この原形復帰作用により、湿紙ＲＰ0にさらなる脱水作用が起こる。この結果、湿紙ＲＰ0の含水率は所定値まで減少する。
【０１２０】
上記脱水ロール部３１により圧搾脱水された湿紙ＲＰ0は、脱水ロール部３１の下流側部位において、下側の網状無端ベルト３５の上面から上側の平滑面無端ベルト６０の下面に転写移転されて、平滑面無端ベルト６０と共に搬送されて、乾燥ベルトコンベア部３２による乾燥工程が実施される。
【０１２１】
なお、上記移転作用は平滑面無端ベルト６０の平滑面構造により起こるものと考えられる。つまり、下側の網状無端ベルト３５の表面が、微細な連続気孔が多数開口されてなる微細凹凸面であるのに対して、上側の平滑面無端ベルト６０の表面が孔のない平滑面であり、この結果、僅かに水分を含んでいる湿紙ＲＰ0が上記平滑面無端ベルト６０の表面との間の表面張力で吸着されるものと考えられる。
【０１２２】
乾燥ベルトコンベア部３２は、上記抄紙ネットコンベア部３０で抄紙形成された後、脱水ロール部３１で圧搾脱水された湿紙ＲＰ0を乾燥させて再生紙ＲＰとする部位で、上記平滑面無端ベルト６０、駆動モータ６１および加熱乾燥部６２を備えてなる。
【０１２３】
平滑面無端ベルト６０は、湿紙ＲＰ0を加熱乾燥させながら搬送するもので、具体的には、所定幅を有する平滑面構造の板材が所定長さの環状に接続形成されてなる無端ベルトである。上記所定幅は、網状無端ベルト３５と同様に、製造すべき再生紙ＲＰの幅寸法よりも若干大きな寸法に設定される。また、平滑面構造の板材は、湿紙ＲＰ0の片側表面を適正な平滑面に仕上げることができ、かつ後述する加熱乾燥部６２による加熱作用に耐え得る材質とされ、好適には、フッ素樹脂、ステンレス鋼等の可撓性耐熱材料で形成されており、図示の実施形態においては、フッ素樹脂製ベルトが採用されている。さらに、上記所定長さは、湿紙ＲＰ0が完成品である再生紙ＲＰに加熱乾燥されるのに十分な長さで、かつ装置ケース５における乾燥ベルトコンベア部３２の収容空間に収容し得る大きさに設定される。
【０１２４】
この平滑面無端ベルト６０は、図１および図２に示すように、駆動ローラ７０、従動ローラ７１、７２、プレスロール５１、スラリー化防止ロール５４、平滑面仕上げロール７３、７４および予備脱水ロール５３を介して、回転走行可能に懸架支持されるとともに、上記駆動ローラ７０を介して、上記駆動モータ６１に駆動連結されている。
【０１２５】
平滑面無端ベルト６０を走行駆動する駆動モータ６１は、前述したように、上記抄紙ネットコンベア部３０および脱水ロール部３１の走行駆動源としても共用され、この共用のための構造つまり駆動連結機構が図３に示されている。
【０１２６】
図３において、７５は動力伝達ギヤ、７６はスプロケット、７７はスプロケット７６、７６間に掛け渡される動力伝達チェーン、および７８は動力伝達軸をそれぞれ示している。
【０１２７】
上記動力伝達ギヤ７５、７５、…、スプロケット７６、７６、…の歯車比は、駆動源が単一の駆動モータ６１であることから、駆動ローラ７０、従動ローラ７１、７２、プレスロール５１、スラリー化防止ロール５４、平滑面仕上げロール７３、７４および予備脱水ロール５３のすべてが、平滑面無端ベルト６０に対して、互いに実質的に同一の周速度をもってそれぞれ転動接触するように設定されている。
【０１２８】
加熱乾燥部６２は、上記平滑面無端ベルト６０上の湿紙ＲＰ0を加熱乾燥する部位で、上記平滑面無端ベルト６０の走行経路途中箇所に配されたヒータプレート７５を加熱部として備える。
【０１２９】
図示の実施形態のヒータプレート７５は、上記平滑面無端ベルト６０の走行経路における水平走行部分に設けられており、具体的には、平滑面無端ベルト６０における上記湿紙ＲＰ0の保持面である上面と反対側面つまり下面に摺接して設けられている。これにより、上記平滑面無端ベルト６０上の湿紙ＲＰ0は、上記ヒータプレート７５により加熱された平滑面無端ベルト６０により間接的に加熱乾燥されることとなる。
【０１３０】
また、平滑面無端ベルト６０の走行途中に、上記２つの平滑面仕上げロール７３、７４が配設されている。具体的には、これら平滑面仕上げロール７３、７４は、上記平滑面無端ベルト６０の走行経路における水平走行部分において、上記ヒータプレート７５と対向して並列状に配置されている。
【０１３１】
そして、両平滑面仕上げロール７３、７４は、平滑面無端ベルト６０上の湿紙ＲＰ0を順次転動加圧して、平滑面無端ベルト６０の表面に接触する湿紙ＲＰ0の片側表面と反対側表面を適正な平滑面に仕上げる。
【０１３２】
なお、図示の実施形態においては、２つの平滑面仕上げロール７３、７４が設けられているが、平滑面仕上げロールの配設数は目的に応じて適宜増減される。
【０１３３】
上記平滑面無端ベルト６０における上記加熱乾燥部６２の下流側には、剥離部材８０が設けられている。この剥離部材８０は、具体的には耐熱性を有する弾性ヘラの形態とされており、図示の実施形態の剥離部材８０は、弾性変形可能な０．１〜０．３ｍｍ厚程度のステンレス鋼板の外周面にテフロン（登録商標）加工が施されてなり、その基端部が固定側に支持されるとともに（図示省略）、その先端エッジ８０ａが上記平滑面無端ベルト６０の表面に弾発的に当接係止されている。
【０１３４】
そして、平滑面無端ベルト６０上で乾燥処理されて搬送される乾紙つまり再生紙ＲＰは、上記剥離部材８０の先端エッジ８０ａにより、平滑面無端ベルト６０の保持面から順次剥離されることとなる。
【０１３５】
これに関連して、この剥離部材８０の下流側つまり平滑面無端ベルト６０の走行経路終端位置には、定寸カッタ８１が設けられている。この定寸カッタ８１の具体的構造は図示しないが、例えば、従来公知の両サイドスリッターの形態とされ、ソレノイドによりギロチンカット動作する構造が採用され得る。
【０１３６】
そして、平滑面無端ベルト６０から剥離された再生紙ＲＰは、定寸カッタ８１により所定長さ（図示の実施形態においては、Ａ４版の縦寸法）に切断されて、再使用可能な形状寸法の再生紙ＲＰとされ、装置ケース５の排出口８２から排出される。なお、この場合の所定長さでの切断は、平滑面無端ベルト６０のベルト送り量を近接スイッチ等のセンサにより計測して行う。
【０１３７】
IV．制御部４：
制御部４は、上述したパルプ製造部２および抄紙部３の各駆動部の動作を連動して自動制御するもので、具体的には、ＣＰＵ，ＲＯＭ，ＲＡＭおよびＩ／Ｏポートなどからなるマイクロコンピュータで構成されている。
【０１３８】
この制御部４には、パルプ製造部２のパルプ製造工程および抄紙部３の抄紙工程を連続して実行させるためのプログラム等が組み込まれるとともに、各駆動部の駆動に必要な種々の情報、例えば、パルプ製造部２における攪拌装置６の駆動時間および給水装置７の動作タイミング、あるいは、抄紙部３におけるコンベア部３０、３２の走行速度、加熱乾燥部６２の駆動時間および定寸カッタ８１の動作タイミングなどが、予めデータとしてまたはキーボード等により適宜選択的に入力設定されている。
【０１３９】
また、上記制御部４には、前述したように、各フロートスイッチ１８、１９、２６、４６、４７および各駆動部１２、１６、２７、３６（５２、６１）、４８、７５、８１が電気的に接続されており、制御部４は、これらの各種実測値およびデータに従って、上記各駆動部１２、１６、２７、３６（５２、６１）、４８、７５、８１を制御する。
【０１４０】
しかして、以上のように構成された古紙処理装置１は、電源投入により起動して、制御部４により各駆動部が相互に関連して自動制御され、以下の工程を実行する。これにより、古紙処理装置１に投入された古紙ＵＰ、ＵＰ、…は、パルプ製造部２により離解処理されて、古紙ＵＰに記載された機密情報や個人情報の漏洩・流出が有効に防止され、さらにはこの古紙パルプＵＰＰが抄紙部３により抄紙されて再生紙ＲＰに再生される。
【０１４１】
ｉ）加熱乾燥部６２のヒータプレート７５が発熱を開始して、所定温度まで昇温すると、以後自動でその所定温度を維持する。
【０１４２】
ii）攪拌装置６の攪拌タンク１０に、給水装置７から水Ｗが所定量だけ供給される。この所定量は、攪拌タンク１０内に投入される古紙ＵＰ、ＵＰ、…を離解、叩解するのに最小限度必要な量であり（図示の実施形態においては約３リットル）、タイマーにより給水ポンプ１６の給水時間を制御して行う。
【０１４３】
iii）古紙ＵＰ、ＵＰ、…が、攪拌装置６の投入口１０ａから設定枚数（装置１の処理能力から設定された枚数（分量）（図示の実施形態の場合は、Ａ４版約８枚≒３２ｇ））だけ投入されて、スタートスイッチがＯＮされると、攪拌装置６が運転を開始して、攪拌羽根１１がタイマー運転により所定時間（図示の実施形態の場合は３〜５分間）だけ正転、逆転動作を繰り返すことにより、古紙ＵＰ、ＵＰ、…が離解、叩解されて、古紙パルプＵＰＰとなる。
【０１４４】
iv）古紙ＵＰ、ＵＰ、…が十分に離解、叩解されて、古紙パルプＵＰＰとなると、攪拌装置６の排水弁が開いて、攪拌タンク１０内の古紙パルプＵＰＰの全量が濃度調整タンク２５に排出供給される。
【０１４５】
この場合、攪拌タンク１０内の洗浄も兼ねて、古紙パルプＵＰＰの排出途中で給水装置７から攪拌タンク１０内への給水と攪拌羽根１１の回転が行なわれる。上記排出弁の開時間や洗浄用の給水、攪拌羽根１１の回転はすべてタイマーで順次行なわれる。
【０１４６】
ｖ）濃度調整タンク２５に古紙パルプＵＰＰが排出供給されるのと並行して、または排出供給後に、濃度調整タンク２５には濃度調整用給水装置７から白水Ｗが加水供給される。白水Ｗの加水供給は、濃度調整タンク２５内のフロートスイッチ２６が水量を検知して働くまで行なわれる。この白水Ｗの加水により、古紙パルプＵＰＰの濃度が調整されて、所定濃度のパルプ懸濁液ＰＳとなる。
【０１４７】
図示の実施形態においては、古紙パルプＵＰＰの全量（約３２ｇの古紙ＵＰ＋３リットルの水Ｗ）に対して、白水Ｗが濃度調整タンク２５内の水量が３０リットル、つまり、古紙パルプＵＰＰと水Ｗの合計体積（全量）が３０リットルになるまで加水され、これにより、約０．１％濃度のパルプ懸濁液ＰＳに調製される。
【０１４８】
vi）濃度調整タンク２５で濃度調整が完了したパルプ懸濁液ＰＳは、フロートスイッチ２６がＯＮになると、第一懸濁液供給ポンプ２７が作動して、そのほぼ全量がパルプ供給タンク４５へ供給される。この全量供給もタイマー運転で行なわれる。
【０１４９】
なお、パルプ懸濁液ＰＳがパルプ供給タンク４５へ供給されている間は、白水回収タンク１５の水は濃度調整タンク２５へ入水されない（調整された濃度が変わるのを防止）。
【０１５０】
vii）パルプ供給タンク４５内の下限水位用フロートスイッチ４６（抄紙開始に必要な最少水量の水位に対応して配置されている）がＯＮになると、駆動モータ３６（５２、６１）が駆動して、網状無端ベルト３５が走行駆動されて抄紙開始の状態になるとともに、パルプ供給タンク４５内のパルプ懸濁液ＰＳが、第二懸濁液供給ポンプ４７により、パルプ供給部３７のオーバフロー槽４１内へ供給される。
【０１５１】
この場合、パルプ供給部３７にパルプ懸濁液ＰＳが送られる時間分だけ、上記駆動モータ３６（５２、６１）が所定のタイムラグをもって駆動して、網状無端ベルト３５は遅延運転される。
【０１５２】
また、駆動モータ３６（５２、６１）は、上記網状無端ベルト３５だけでなく、脱水ロール部３１のロール５０、５１の回転駆動源、乾燥ベルトコンベア部３２の平滑面無端ベルト６０の走行駆動源、および平滑面仕上げロール７３、７４の回転駆動源としても共用されているから、これらも同時に連動して運転される。
【０１５３】
viii）上記オーバフロー槽４１に供給されたパルプ懸濁液ＰＳは、オーバフロー槽４１からオーバフローして、仕切り部材３９の平板部材４２上に流下し、型枠体３８の本体枠４０と仕切り部材３９との協働による滞留作用により、網状無端ベルト３５上面に均一に拡散される。これと同時に、網状無端ベルト３５の走行作用により、上記拡散されたパルプ懸濁液ＰＳは、本体枠４０により規定された幅寸法Ｌを保持しつつ網状無端ベルト３５に引き摺られながら搬送されて、網状無端ベルト３５の網目により濾過脱水されて、湿紙ＲＰ0となる。
【０１５４】
この網状無端ベルト３５により濾過脱水された白水Ｗは、給水装置７の白水回収タンク１５に回収されて、循環再利用される。
【０１５５】
ix）網状無端ベルト３５と共に搬送される湿紙ＲＰ0は、予備脱水ロール５３のところで、傾斜走行状態から水平走行状態に姿勢変換されながら、この予備脱水ロール５３の吸水作用との協働作用による相乗効果で複合的にさらに軽く脱水された後、スラリー化防止ロール５４の押付け作用により、網状無端ベルト３５と平滑面無端ベルト６０により挟持された状態で、脱水ロール部３１へ送られる。
【０１５６】
ｘ）脱水ロール部３１において、スラリー化防止ロール５４の押付け作用により、網状無端ベルト３５と平滑面無端ベルト６０により挟持された湿紙ＲＰ0は、脱水ロール５０とプレスロール５１の間を、これら両ロール５０、５１により上下両側から挟圧状に転動圧搾されながら通過する。これにより、湿紙ＲＰ0は、前述したように、スラリー化防止ロール５４の予備的な補助作用も手伝って、図６（ｂ）に示すような圧搾脱水メカニズムにより所定の含水率まで脱水される。
【０１５７】
ｘi）脱水ロール部３１により圧搾脱水された湿紙ＲＰ0は、脱水ロール部３１の下流側部位において、下側の網状無端ベルト３５から上側の平滑面無端ベルト６０のに転写移転されて、今度は、平滑面無端ベルト６０と共に搬送されながら、乾燥ベルトコンベア部３２のヒータプレート７５により加熱乾燥されて、再生紙ＲＰとなる。
【０１５８】
また、これと並行して、湿紙ＲＰ0または再生紙ＲＰは、平滑面無端ベルト６０に対して上記ヒータプレート７５と反対側に配された二つの平滑面仕上げロール７３、７４の連続した転動加圧により、平滑面無端ベルト６０の表面に接触する側の表面と反対側の表面が適正な平滑面に仕上げられていく。
【０１５９】
ｘii）二つの平滑面仕上げロール７３、７４による表面仕上げを経た再生紙ＲＰは、平滑面無端ベルト６０の表面に固着状態で保持されており、剥離部材８０の先端エッジ８０ａにより、平滑面無端ベルト６０の保持面から順次剥離されるとともに、定寸カッタ８１により所定長さに切断されて、再使用可能な形状寸法の再生紙ＲＰとして、装置ケース５の排出口８２から排出される。
【０１６０】
xiii）パルプ供給タンク４５内のパルプ懸濁液ＰＳが抄紙開始に必要な最少水量より減少すると（ほとんど空の状態）、下限水位用フロートスイッチ４６がＯＦＦとなり、第二懸濁液供給ポンプ４７によるパルプ懸濁液ＰＳ供給が停止するとともに、駆動モータ３６（５２、６１）も駆動停止して、抄紙工程が停止する。
【０１６１】
この場合、駆動モータ３６（５２、６１）は、現在抄紙中のパルプ懸濁液ＰＳが全量再生紙ＲＰになって上記排出口８２から排出されるまでの時間分だけ、所定のタイムラグをもって駆動停止する。
【０１６２】
ixv）以後、iii）の工程に戻り、古紙ＵＰ、ＵＰ、…を設定枚数だけ追加投入して、（装置１の処理能力から設定された枚数（分量）（図示の実施形態の場合は、Ａ４版約８枚≒３２ｇ））だけ投入されて、スタートスイッチが再びＯＮされることにより、iv）〜xiii）の工程が順次連続して実行される。
【０１６３】
なお、以上の工程は、古紙パルプ化・再生紙抄紙に必要な動作を示したものであって、実際の運転には他の安全対策等のインターロック制御が付加されている。
【０１６４】
しかして、以上のような構成とされた古紙処理装置１においては、以下のような効果が得られ、大きな事業所等だけでなく、小規模店舗や一般家庭などにも設置可能であるとともに、機密情報や個人情報など各種情報の漏洩・流出を確実に防止できて、高い機密性を保持することができ、しかも、環境に優しくかつランニングコストも低く抑えることができる。
【０１６５】
（１）古紙ＵＰが発生する場所に配置されて、古紙ＵＰを離解し叩解して古紙パルプＵＰＰを製造するパルプ製造部２を備えるから、古紙ＵＰは繊維レベルまで分解されて（パルプ化）、そこに記載された文字や線図は完全に分解消滅してしまい、復元不可能である。これにより、これら文字や線図から構成される機密情報や個人情報の漏洩・流出を確実に防止することができ、高い機密性を保持することができる。
【０１６６】
（２）さらに、上記パルプ製造部２で製造された古紙パルプＵＰを抄紙して再生紙ＲＰを製造する抄紙部３を備えるから、古紙ＵＰを廃棄処分することなく、古紙ＵＰの発生元において自前で再生利用することができ、古紙ＵＰの廃棄を軽減して、ゴミ問題解決に役立つばかりか、限りある資源を有効利用することができる。
【０１６７】
特に、この種の古紙ＵＰは機密上の問題からリサイクル化が進んでおらず、上記のように古紙ＵＰの発生元で自前により再生利用することができることで、資源有効利用の効果は顕著である。
【０１６８】
（３）什器サイズの装置ケース５内に、上記パルプ製造部２、上記抄紙部３およびこれらを連動して駆動制御する制御部４を備えてなるから、装置構造がコンパクトで、大きな事業所等だけでなく、小規模店舗や一般家庭などにも設置可能であり、この観点からも、機密情報や個人情報など各種情報の漏洩・流出を有効かつ確実に防止することができる。
【０１６９】
（４）上記パルプ製造部２で使用される水Ｗに、上記抄紙部３で脱水回収される水Ｗが帰還利用される水循環方式とされることにより、また、上記パルプ製造部２および抄紙部３の駆動源が一般家庭用交流電源により駆動する電動駆動源であることにより、環境に優しくかつランニングコストも低く抑えることができ、この点においても経済的である。
【０１７０】
実施形態２
本実施形態は図７および図８に示されており、実施形態１の古紙処理装置１を若干改変したものである。
【０１７１】
すなわち、本実施形態の古紙処理装置１は、官公庁・一般企業等の事務所などのビジネスの現場においても、あるいは一般家庭などの個人的な場所においても設置使用可能な汎用型のもので、図７に示すようなコンパクトな外観を呈する。
【０１７２】
この古紙処理装置１は、その装置構成部であるパルプ製造部２および抄紙部３の駆動源が、実施形態１と同様に、一般家庭用交流電源により駆動する電動駆動源とされており、図７に示すように、電源コード１００の先端には、一般企業等の事務所や一般家庭の室内壁部に設置されている電源コンセント１０１に差込み接続可能な差込みプラグ１０２を備えている。
【０１７３】
装置ケース５は、図７に示すように、事務所等に配置される一般的な複写機の外形よりも小さなほぼ直方体形状の箱体とされるとともに、その底部には移動手段としてキャスタ１０３、１０３、…が設けられて、設置床面Ｆ上を方向自在に移動可能とされている。
【０１７４】
また、装置ケース５の天板部には、古紙ＵＰを投入するための投入口１０ａと、スタートスイッチを含めた各種操作ボタン等を備えた操作盤１１０とが設けられるとともに、上端部の前側部位には、再生紙ＲＰ、ＲＰ、…をストックするための再生紙収容部１０４が設けられている。この再生紙収容部１０４には、装置ケース５の排出口８２が臨んで設けられており、この排出口８２から排出される再生紙ＲＰ、ＲＰ、…が順次積層状に載置収容されていく。なお、この再生紙収容部１０４には、上開き式の透明保護カバー１０５が開閉可能に設けられている。
【０１７５】
さらに、上記攪拌タンク１０の投入口１０ａには、シュレッダ部１０５が設けられている。このシュレッダ部１０５は、上記投入口１０ａに投入された古紙ＵＰ、ＵＰ、…を予備的に裁断して、攪拌装置６による離解・叩解を高効率化するためのものである。
【０１７６】
このシュレッダ部１０５の具体的構造は、従来周知のシュレッダと同様、古紙ＵＰを小さな紙片に裁断する機構を備えてなるが、この裁断機構による裁断サイズは以下の条件を満たすように設定されている。
【０１７７】
すなわち、従来周知のシュレッダは、古紙ＵＰに記載された文字や線図を視認・解読不能な状態まで分断させて、これら文字や線図から構成される機密情報や個人情報の漏洩・流出を有効に防止することを主目的として、可及的に小さいサイズに裁断する構成とされているが、本実施形態におけるシュレッダ部１０５の主目的は、裁断処理された裁断古紙ＣＵＰ、ＣＵＰ、…から製造される古紙パルプＵＰＰが次工程の抄紙部３で抄紙製造される再生紙ＲＰの原料パルプとして望ましい特性を有するサイズに裁断することである。
【０１７８】
この目的のため、上記シュレッダ部１０５の裁断機構の裁断サイズは、裁断古紙ＣＵＰの紙繊維が上記再生紙ＲＰの原料パルプとして求められる大きさ以下に寸断されない程度に設定されている。したがって、この条件を満たす限り、上記裁断機構の具体的構成は、ダブルカット方式やクロスカット方式など種々の方式が選択的に採用され得る。
【０１７９】
しかして、上記投入口１０ａから古紙ＵＰが投入されると、この古紙ＵＰは、上記シュレッダ部１０５により、予備的に裁断されて所定サイズの裁断古紙ＣＵＰ、ＣＵＰ、…とされた後、攪拌装置６の攪拌羽根１１の正転・逆転動作により、給水装置７から供給された水Ｗの中で所定時間だけ攪拌され、これにより、離解・叩解されて、古紙パルプＵＰＰとなる。この離解・叩解に要する時間は、実施形態１の場合よりも短い。
【０１８０】
その他の装置構成部、つまり、パルプ製造部２の給水装置７およびパルプ濃度調整部８、抄紙部３の抄紙ネットコンベア部３０、脱水ロール部３１および乾燥ベルトコンベア部３２、ならびに制御部４の具体的構造および作用は、装置ケース５の小型化に伴う小型コンパクト化を除いて、実施形態１と実質的に同様である。
【０１８１】
実施形態３
本実施形態は図９に示されており、実施形態１の古紙処理装置１を若干改変したものである。
【０１８２】
すなわち、本実施形態の古紙処理装置１は、特に、官公庁・一般企業等の大規模な事務所や専用の処理室などのビジネスの現場において設置使用される大型のものである。
【０１８３】
古紙処理装置１の具体的な内部構造については図示省略するが、実施形態１または実施形態２と同様の装置構成部、つまり、パルプ製造部２の攪拌装置６、給水装置７およびパルプ濃度調整部８、抄紙部３の抄紙ネットコンベア部３０、ならびに、脱水ロール部３１および乾燥ベルトコンベア部３２などが、それぞれ大型化されたり、処理機能を向上されたり、あるいは配置変換されたりして、古紙ＵＰ、古紙ＵＰ、…の大量処理が可能な構成とされている。
【０１８４】
しかして、以上のように構成された古紙処理装置１にあっては、大きな設置スペースを有する場合に、古紙ＵＰ、古紙ＵＰ、…を、年に一回または数回定期的に、あるいは年度末の時期などにまとめて投入口１０ａに投入することにより、装置ケース５内のパルプ製造部２および抄紙部３で実施形態１で説明したように順次連続して処理された後、排出口（図示省略）から大量の再生紙ＲＰ、ＲＰ、…として再生紙収容部１０４に連続して排出され、これらの再生紙ＲＰ、ＲＰ、…は、手作業であるいは古紙処理装置１の整理機構（図示省略）により図示のごとく積層状に堆積されて整理される。
【０１８５】
実施形態４
本実施形態は図１０に示されており、実施形態１の古紙処理装置１を若干改変したものである。
【０１８６】
すなわち、本実施形態の古紙処理装置１は、特に、小規模な事務所や一般家庭における個人的使用の現場において、図示のような事務机１１５の天板上１１５ａの片隅など、狭い設置スペースに置いて使用される卓上用の小型のものである。
【０１８７】
古紙処理装置１の具体的な内部構造については、実施形態３と同様に図示省略するが、実施形態１または実施形態２と同様の装置構成部、つまり、パルプ製造部２の攪拌装置６、給水装置７およびパルプ濃度調整部８、抄紙部３の抄紙ネットコンベア部３０、ならびに、脱水ロール部３１および乾燥ベルトコンベア部３２などが、それぞれ小型コンパクト化されたり、処理機能を限定した簡易なものとされたりして、古紙ＵＰ、古紙ＵＰ、…の少量処理に適した構成とされている。
【０１８８】
しかして、以上のように構成された古紙処理装置１にあっては、図示のような事務机１１５上に置かれて、日常の業務または生活の中で日々発生する少量の古紙ＵＰ、ＵＰ、…を、発生の都度順次1枚ずつ投入口１０ａに投入することにより、、装置ケース５内のパルプ製造部２および抄紙部３で実施形態１で説明したように順次連続して処理された後、排出口８２から再生紙ＲＰとして順次再生紙収容部１０４に排出され、自動的に積層状に堆積される。
【０１８９】
なお、上述した実施形態１〜４はあくまでも本発明の好適な実施態様を示すものであって、本発明はこれに限定されることなく、その範囲内で種々の設計変更が可能である。一例として以下のような改変が可能である。
【０１９０】
（１）図示の実施形態においては、加熱乾燥部６２の加熱部としてヒータプレート７５が採用されているが、このヒータプレート７５に代えて、回転可能なヒータロールや温風ヒータなど他の加熱手段を採用することも可能である。
【０１９１】
すなわち、具体的には図示しないが、加熱乾燥部６２の加熱部として上記ヒータロールを備える場合は、例えば、このヒータロールが上記平滑面無端ベルト６０上の湿紙ＲＰ0に直接転接するように配されて、上記平滑面無端ベルト６０上の湿紙ＲＰ0が上記ヒータロールにより直接的に加熱乾燥される構成とされる。
【０１９２】
また、加熱乾燥部６２の加熱部として上記温風ヒータを備える場合は、例えば、この温風ヒータが、上記平滑面無端ベルト６０上の湿紙ＲＰ0に温風を吹き付けて、上記平滑面無端ベルト６０上の湿紙ＲＰ0が上記温風ヒータにより直接的に加熱乾燥される構成とされる。
【０１９３】
（２）制御部４による具体的な処理工程については、プログラム等の変更により、実施形態１において実行される工程（パルプ製造部２のパルプ製造工程および抄紙部３の抄紙工程）以外の他の工程とすることも可能であり、目的に応じて、あるいは処理能力に応じて適宜設計変更することができる。
【図面の簡単な説明】
【０１９４】
【図１】本発明の実施形態１である古紙処理装置の全体構成を、装置ケースを切開して示す正面図である。
【図２】同じく同古紙処理装置の抄紙部の概略構成を示す斜視図である。
【図３】同抄紙部における駆動連結機構を示す平面図である。
【図４】同抄紙部におけるパルプ供給部の構成を拡大して示す斜視図である。
【図５】同じく同パルプ供給部の構成を一部切開して示す正面図である。
【図６】同抄紙部における脱水ロール部の圧搾脱水の具体的メカニズムを説明するための模式図で、図６（ａ）は基本的な圧搾脱水メカニズムを示し、図６（ｂ）はスラリー化防止ロールが脱水ロール部の上流側近傍位置に設けられている場合の圧搾脱水メカニズムを示す。
【図７】本発明の実施形態２である古紙処理装置の外観構成を示す斜視図である。
【図８】同古紙処理装置の全体構成を、装置ケースを切開して示す正面図である。
【図９】本発明の実施形態３である古紙処理装置の外観構成を示す斜視図である。
【図１０】本発明の実施形態４である古紙処理装置の外観構成を示す斜視図である。
【符号の説明】
【０１９５】
ＵＰ                        古紙
ＣＵＰ                      裁断古紙
Ｗ                          水（白水）
ＵＰＰ                      古紙パルプ
ＰＳ                        パルプ懸濁液
ＲＰ0                        湿紙
ＲＰ                        再生紙
Ｍ、Ｍ´                    水分
Ｆ                          設置床面
１                          古紙処理装置
２                          パルプ製造部
３                          抄紙部
４                          制御部
５                          装置ケース
６                          攪拌装置（攪拌手段）
７                          給水装置（給水手段）
１０                        攪拌タンク
１０ａ                      投入口
１０ｂ                      排水口
１１                        攪拌羽根
１２                        駆動モータ
１５                        白水回収タンク
１６                        給水ポンプ
１７                        濃度調整用給水ポンプ
２５                        濃度調整タンク
２７                        第一懸濁液供給ポンプ
３０                        抄紙ネットコンベア部
３１                        脱水ロール部
３２                        乾燥ベルトコンベア部
３５                        網状無端ベルト
３６                        駆動モータ
３７                        パルプ供給部
３８                        型枠体
３９                        仕切り部材
４１                        オーバフロー槽
４２                        平板部材
４５                        パルプ  供給タンク
４８                        第二懸濁液供給ポンプ（懸濁液供給ポンプ）
５０                        脱水ロール
５１                        プレスロール
５０ａ                      円筒ロール
５０ｂ                      脱水シート
５２                        駆動モータ
５３                        予備脱水ロール
５３ａ                      円筒ロール
５３ｂ                      脱水シート
５４                        スラリー化防止ロール
６０                        平滑面無端ベルト
６１                        駆動モータ
６２                        加熱乾燥部
７３、７４                  平滑面仕上げロール
７５                        ヒータプレート
８０                        剥離部材  
８１                        定寸カッタ
１００                      電源コード
１０１                      電源コンセント
１０２                      差込みプラグ
１０３                      キャスタ（移動手段）
１０４                      再生紙収容部
【図１】
2007023450.tif 000003
【図２】
2007023450.tif 000004
【図３】
2007023450.tif 000005
【図４】
2007023450.tif 000006
【図５】
2007023450.tif 000007
【図６】
2007023450.tif 000008
【図７】
2007023450.tif 000009
【図８】
2007023450.tif 000010
【図９】
2007023450.tif 000011
【図１０】
2007023450.tif 000012
【手続補正書】
【提出日】平成17年8月8日(2005.8.8)
【手続補正１】
【補正対象書類名】図面
【補正対象項目名】全図
【補正方法】変更
【補正の内容】
【図１】
2007023450.tif 000013
【図２】
2007023450.tif 000014
【図３】
2007023450.tif 000015
【図４】
2007023450.tif 000016
【図５】
2007023450.tif 000017
【図６】
2007023450.tif 000018
【図７】
2007023450.tif 000019
【図８】
2007023450.tif 000020
【図９】
2007023450.tif 000021
【図１０】
2007023450.tif 000022